(57)【要約】【課題】製造コストを抑制しつつ、商品を縦置き状態で輸送でき、形態の転換を容易に行なうことができるようにする。【解決手段】複数のトレー１，２を連結し、ハンガー陳列状態、カウンター陳列状態及び輸送状態に転換可能とした陳列具において、上段側及び下段側トレー１，２を背枠３の後枠板３１及び側枠板３２で後方外側から抱き込むようにし、側枠板３２に側部ガイド穴３３，３４を形成し、各トレー１，２にそれぞれ側部ピン５，６を突設し、各トレー１，２の側部ピン５，６をそれぞれ対応する側部ガイド穴３３，３４にスライド自在に挿通し、上段側トレー１を、側部ピン５の側部ガイド穴３３に沿ったスライドに伴い、側部ピン５を中心に回転可能とし、下段側トレー２を、側部ピン６の側部ガイド穴３４に沿ったスライドに伴い、前後にスライド自在とすると共に、側部ピン６を中心に回転可能とする。【選択図】図１
2010284355.tif 000002
【特許請求の範囲】
【請求項１】
複数のトレー(1,2)を連結し、これらのトレー(1,2)を相対移動させることにより、トレー(1,2)が上下に並んで吊り下げられるハンガー陳列状態と、トレー(1,2)が階段状に並んで設置されるカウンター陳列状態と、トレー(1,2)が前後に並んで接近した輸送状態とに転換可能とした陳列具において、前記上段側及び下段側トレー(1,2)を、背枠(3)の後枠板(31)及び一対の側枠板(32)で後方外側から抱き込むようにし、一対の側枠板(32)に、前後方向に延びる側部ガイド穴(33,34)を形成し、各トレー(1,2)にそれぞれ側部ピン(5,6)を突設し、各トレー(1,2)の側部ピン(5,6)をそれぞれ対応する側部ガイド穴(33,34)にスライド自在に挿通し、上段側トレー(1)を、側部ピン(5)の側部ガイド穴(33)に沿ったスライドに伴い、側部ピン(5)を中心に回転可能とし、下段側トレー(2)を、側部ピン(6)の側部ガイド穴(34)に沿ったスライドに伴い、前後にスライド自在とすると共に、側部ピン(6)を中心に回転可能としたことを特徴とする陳列具。
【請求項２】
請求項１に記載の陳列具において、前記後枠板(31)に、上下方向に延びる後部ガイド穴(35)を形成し、上段側トレー(1)の底後部の幅方向中間部に連結片(17)を屈伸自在に延設し、この連結片(17)に突設した後部ピン(7)を、後部ガイド穴(35)にスライド自在に挿通し、上段側トレー(1)の回転に伴い、連結片(17)が屈伸しつつ、後部ピン(7)が後部ガイド穴(35)に沿ってスライドすることを特徴とする陳列具。
【請求項３】
請求項１又は２に記載の陳列具において、前記下段側トレー(2)の側部ピン(6)が挿通される側部ガイド穴(34)には、その前端部及び後端部に、上下方向に延びるロック部(34a,34b)を設けたことを特徴とする陳列具。
【発明の詳細な説明】
【技術分野】
【０００１】
この発明は、店頭に吊下又は設置して商品を陳列する陳列具に関するものである。
【背景技術】
【０００２】
従来、下記特許文献１には、図７乃至図９に示すような陳列具が記載されている。この陳列具は、上段側トレー５１、下段側トレー５２及び背枠５３から構成されている。
【０００３】
図９に示すように、背枠５３には、広告板５４、背板５５、連結板５６、背板５７及び貼着片５８が上方から順次設けられ、連結板５６より上方の両側部に側支板５９が設けられている。また、トレー５２の後上部には係止片６０が突設され、連結板５６の下部及びトレー５１の前下部には、それぞれ係止穴６１，６２が設けられている。
【０００４】
この陳列具の製造に際しては、上段側トレー５１を背板５５に貼り付け、下段側トレー５２を貼着片５８に貼り付ける。
【０００５】
このような陳列具では、図７（ａ）に示すように、連結板５６と背板５７とを境界の罫線に沿って折り曲げることなく、これらが垂直に伸びた状態で、係止片６０を係止穴６１に差し込むことにより、トレー５１，５２が上下に並んで吊り下げられるハンガー陳列状態で商品を陳列することができる。
【０００６】
また、図７（ｂ）に示すように、連結板５６と背板５７とを境界の罫線に沿って折り曲げ、側支板５９を後方へ折り曲げて、係止片６０を係止穴６２に差し込むことにより、トレー５１，５２が階段状に並んで棚等に設置されるカウンター陳列状態で商品を陳列することもできる。
【０００７】
さらに、図８に示すように、トレー５２を後方に倒し、背板５５と連結板５６とを境界の罫線に沿って折り曲げ、広告板５４をトレー５１に被せるように折り曲げて、背枠５３でトレー５１，５２を包み込むようにし、トレー５１，５２が前後に並んで接近したコンパクトな輸送状態で小売店へ配送することもできる。
【先行技術文献】
【特許文献】
【０００８】
【特許文献１】実開平３−９４１５６号公報
【発明の概要】
【発明が解決しようとする課題】
【０００９】
しかしながら、上記のような陳列具では、輸送状態において、トレー５２が倒されたままとなるため、液入瓶等の商品をトレー５１，５２に収納したまま配送する場合、商品を長時間倒しておくこととなり、液漏れ等の不都合が生じるおそれがある。
【００１０】
また、輸送状態からハンガー陳列状態又はカウンター陳列状態への転換や、ハンガー陳列状態とカウンター陳列状態との転換に手間がかかり、店頭での商品陳列作業を迅速に行なうことができないという問題もある。
【００１１】
さらに、製造に際し、トレー５１，５２を、正確に位置決めして、接着剤や面ファスナにより、背枠５３に貼り付ける必要があり、この貼り付け作業に手間やコストがかかるという問題もある。
【００１２】
そこで、この発明は、製造コストを抑制しつつ、商品を縦置き状態で輸送でき、形態の転換を容易に行なうことができるようにすることを課題とする。
【課題を解決するための手段】
【００１３】
上記課題を解決するため、この発明は、複数のトレーを連結し、これらのトレーを相対移動させることにより、トレーが上下に並んで吊り下げられるハンガー陳列状態と、トレーが階段状に並んで設置されるカウンター陳列状態と、トレーが前後に並んで接近した輸送状態とに転換可能とした陳列具において、前記上段側及び下段側トレーを、背枠の後枠板及び一対の側枠板で後方外側から抱き込むようにし、一対の側枠板に、前後方向に延びる側部ガイド穴を形成し、各トレーにそれぞれ側部ピンを突設し、各トレーの側部ピンをそれぞれ対応する側部ガイド穴にスライド自在に挿通し、上段側トレーを、側部ピンの側部ガイド穴に沿ったスライドに伴い、側部ピンを中心に回転可能とし、下段側トレーを、側部ピンの側部ガイド穴に沿ったスライドに伴い、前後にスライド自在とすると共に、側部ピンを中心に回転可能としたのである。
【００１４】
また、前記後枠板に、上下方向に延びる後部ガイド穴を形成し、上段側トレーの底後部の幅方向中間部に連結片を屈伸自在に延設し、この連結片に突設した後部ピンを、後部ガイド穴にスライド自在に挿通し、上段側トレーの回転に伴い、連結片が屈伸しつつ、後部ピンが後部ガイド穴に沿ってスライドするようにしたのである。
【００１５】
また、前記下段側トレーの側部ピンが挿通される側部ガイド穴には、その前端部及び後端部に、上下方向に延びるロック部を設けたのである。
【発明の効果】
【００１６】
この発明に係る陳列具では、上段側トレー及び下段側トレーを、背枠に対して側部ピンを中心に回転可能としたので、輸送状態において、横倒しにした背枠に対し、上段側トレー及び下段側トレーを起立させておくことにより、商品を縦置き状態で輸送できる。
【００１７】
また、側部ピンを側部ガイド穴に沿ってスライドさせ、各トレーを背枠に対して側部ピンを中心に回転させると共に、上段側トレーの後部ピンを後部ガイド穴に沿ってスライドさせることにより、形態の転換を容易に行なうことができる。
【００１８】
さらに、後部ピンを後部ガイド穴の下端に当接させて、陳列状態で十分な強度を確保することができ、側部ガイド穴に設けたロック部に側部ピンを嵌め入れることにより、下段側トレーを安定させることができる。
【００１９】
また、製造に際し、各トレーを背枠に貼り付ける必要がないので、製造コストを抑制することができる。
【図面の簡単な説明】
【００２０】
【図１】この発明に係る陳列具のハンガー陳列状態を示す斜視図
【図２】同上のカウンター陳列状態を示す斜視図
【図３】同上の輸送状態を示す斜視図
【図４】同上の形状転換過程を示す側面図
【図５】同上の上段側及び下段側トレーのブランクを示す図
【図６】同上の背枠及び広告パネルのブランクを示す図
【図７】従来の陳列具の（ａ）ハンガー陳列状態を示す斜視図、（ｂ）カウンター陳列状態を示す斜視図
【図８】同上の輸送状態を示す斜視図
【図９】同上の製造過程を示す斜視図
【発明を実施するための形態】
【００２１】
以下、この発明の実施形態を添付図面に基づいて説明する。
【００２２】
この陳列具は、図１に示すように、トレー１，２が上下に並んで吊り下げられるハンガー陳列状態と、図２に示すように、トレー１，２が階段状に並んで設置されるカウンター陳列状態と、図３に示すように、トレー１，２が前後に並んで接近した輸送状態とに転換可能なものである。
【００２３】
トレー１，２は、背枠３を介して連結され、ハンガー陳列状態又はカウンター陳列状態において、トレー１の上方には、広告パネル４が設けられる。トレー１，２の板紙製ブランクは、図５に示すような構成とされ、背枠３及び広告パネル４の板紙製ブランクは、図６に示すような構成とされている。
【００２４】
図５に示すように、トレー１のブランクは、背の低い２枚の前壁１１、後方へ向けて背が高くなる一対の側壁１２、背の高い２枚の後壁１３、一側の継代片１４並びに下端４枚及び前壁１１の上端に繋がる１枚の底壁１５を連設したものとされ、各側壁１２の前下部には、ピン穴１６が設けられている。
【００２５】
また、後壁１３の下端の幅方向中間部には、底壁１５への切込により、連結片１７が罫線を介し屈伸自在に連設され、連結片１７には、ピン穴１８が設けられている。
【００２６】
このブランクの組み立てに際しては、前壁１１、一対の側壁１２及び後壁１３を角筒状に折り曲げ、その両端部を継代片１４で接合して周壁を形成し、周壁の下端の底壁１５を噛み合わせ、後壁１３、前壁１１及び底壁１５同士を重ね合わせる。そして、ピン穴１６に、プラスチック製の側部ピン５の軸部を挿通し、連結片１７のピン穴１８に、プラスチック製の後部ピン７の軸部を挿通する。
【００２７】
また、トレー２のブランクは、背の低い２枚の前壁２１、後方へ向けて背が高くなる一対の側壁２２、背の高い２枚の後壁２３、一側の継代片２４並びに下端４枚及び前壁２１の上端に繋がる１枚の底壁２５を連設したものとされ、各側壁２２の後上部には、ピン穴２６が設けられている。
【００２８】
このブランクの組み立てに際しては、前壁２１、一対の側壁２２及び後壁２３を角筒状に折り曲げ、その両端部を継代片２４で接合して周壁を形成し、周壁の下端の底壁２５を噛み合わせ、後壁２３、前壁２１及び底壁２５同士を重ね合わせる。そして、ピン穴２６に、プラスチック製の側部ピン６の軸部を挿通する。
【００２９】
一方、図６に示すように、背枠３のブランクは、上下に長い長方形の後枠板３１の両側に、２枚ずつ前側が上下から切り込まれて対称形状となった側枠板３２を連設したものとされ、各側枠板３２には、各トレー１，２に対応して、スロット状の側部ガイド穴３３，３４が形成されている。
【００３０】
上方の側部ガイド穴３３は、水平に前後方向に延び、下方の側部ガイド穴３４は、前上がりに傾斜して前後方向に延びている。側部ガイド穴３４の前端部及び後端部には、上下方向に延びるロック部３４ａ，３４ｂが設けられている。
【００３１】
後枠板３１には、トレー１に対応して、上下方向に延びるスロット状の後部ガイド穴３５が設けられている。また、各側枠板の後上部には、紐穴３６が設けられている。
【００３２】
このブランクの組み立てに際しては、側枠板３２を二重に重ね合わせて貼着し、後枠板３１から両側の側枠板３２を前方へ折り曲げる。
【００３３】
また、広告パネル４のブランクは、２枚の立面板４１が上下に連設されたものとされ、各立面板４１の四隅には、紐穴４２が設けられている。また、立面板４１同士の連設側と反対側の端縁には、２箇所ずつ係止切込４３が形成されている。
【００３４】
このブランクの組み立てに際しては、立面板４１同士を二重に貼り合わせる。なお、立面板４１の前方へ向く面には、消費者への訴求性を高めるための印刷を施しておく。
【００３５】
上記のような各部材から陳列具を組み立てるには、トレー１，２に亘って背枠３を沿わせ、背枠３の後枠板３１及び一対の側枠板３２で各トレー１，２の後壁１３，２３及び一対の側壁１２，２２を外側から抱き込むようにする。
【００３６】
次に、トレー１，２の側壁１２，２２から突出する側部ピン５，６の軸部を側部ガイド穴３３，３４にスライド自在に挿通し、この軸部に頭部を嵌めて、側部ピン５，６を側部ガイド穴３３，３４から抜け止めする。これにより、トレー１，２は、背枠３に対して側部ピン５，６を中心に回転可能となる。
【００３７】
また、下方へ折り曲げた連結片１７から突出する後部ピン７の軸部を後部ガイド穴３５にスライド自在に挿通し、この軸部に頭部を嵌めて、後部ピン７を後部ガイド穴３５から抜け止めする。
【００３８】
また、背枠３の紐穴３６及び広告パネル４の紐穴４２に吊紐８を挿通し、この吊紐８をフック等に引っ掛けて、陳列具を吊り下げられるようにする。
【００３９】
このように、上記陳列具は、トレー１，２を背枠３に貼り付けることなく、安価な側部ピン５，６及び後部ピン７を用いて組み立てることができるので、接着剤や面ファスナが不要となり、トレー１，２と背枠３とをそれほど正確に位置合わせする必要もなく、容易に組み立てることができ、製造の手間やコストを抑制できる。
【００４０】
このように組み立てた陳列具は、図３及び図４（ａ）に示す輸送状態において、トレー１，２に液入瓶等の商品Ｇを収納し、外箱に詰められて、小売店に配送される。この輸送状態では、横倒しにした背枠３に対し、トレー１，２を起立させておくことにより、商品Ｇを縦置き状態で輸送できる。
【００４１】
このとき、側部ピン５は、側部ガイド穴３３の下端に位置し、側部ピン６は、側部ガイド穴３４の上端に位置することとなり、側部ピン６をロック部３４ａに嵌め入れることにより、トレー２の揺動を抑制して、トレー２を安定させることができる。
【００４２】
一方、店頭において、上記のような輸送状態からハンガー陳列状態に転換するには、図４（ｂ）及び（ｃ）に示すように、トレー１を側部ピン５を中心として回転させつつ、側部ピン５を側部ガイド穴３３に沿って上方へスライドさせ、これと同時に、連結片１７を屈曲した状態から伸ばしつつ、後部ピン７を後部ガイド穴３５に沿ってトレー２側へスライドさせることにより、トレー１を一旦後方へ倒す。
【００４３】
このとき、トレー１の底後部は、後部ピン７の後部ガイド穴３５に沿ったスライドにより、幅方向中間部で背枠３に対し引っ掛かったり離れたりすることなく滑動し、トレー１をスムーズに回転させることができる。
【００４４】
続いて、図４（ｄ）に示すように、側部ピン６をロック部３４ａから抜き、トレー２を側部ピン６を中心として回転させつつ、側部ピン６を側部ガイド穴３４に沿ってスライドさせることにより、トレー２も一旦後方へ倒す。
【００４５】
その後、図４（ｅ）に示すように、側部ピン６をロック部３４ｂに嵌め入れて、陳列具を正立させると、図１に示すハンガー陳列状態として、店頭で陳列什器の吊棒等から陳列具を吊紐８を介し吊り下げて、商品Ｇを陳列することができる。
【００４６】
このハンガー陳列状態では、後部ピン７が後部ガイド穴３５の下端に当接して、トレー１の荷重を側部ピン５と分担して支持するので、陳列状態で十分な強度を確保することができ、トレー２は、ロック部３４ｂに嵌め入れた側部ピン６により揺動が抑制されて、前下がりになることなく、安定した状態となる。
【００４７】
また、ハンガー陳列状態からカウンター陳列状態への転換に際しては、図４（ｆ）に示すように、トレー２を背枠３に対して回転させることなく、側部ピン６を側部ガイド穴３４に沿って前方へスライドさせ、ロック部３４ａに嵌め入れると、図２に示すカウンター陳列状態として、商品Ｇを陳列することができる。
【００４８】
このとき、広告パネル４は、係止切込４３を利用し、背枠３を前後から挟み込むようにして、背枠３の上端部に起立状態で固定する。
【００４９】
このカウンター陳列状態では、ロック部３４ａに嵌め入れた側部ピン６によりトレー２の背枠３に対する前後位置が固定されて、陳列具全体が安定した状態となる。
【００５０】
ところで、上記説明では、輸送状態からハンガー陳列状態への転換、及びハンガー陳列状態からカウンター陳列状態への転換について記載したが、これら三形態の転換は、相互に行なうことができる。
【００５１】
特に、カウンター陳列状態からハンガー陳列状態へ転換する際には、棚等から陳列具を持ち上げるだけで、トレー２の自重により、ロック部３４ａから側部ピン６が外れ、傾斜した側部ガイド穴３４に誘導されて、トレー２が下降しつつ後方へ移動するので、軽く手で補助するだけで、半自動的に転換を行なうことができる。
【００５２】
また、上下２段のトレー１，２を有するものを例示したが、３段以上のトレーを有する陳列具においても、同様の構成を採用することができる。この場合、最上段のトレー以外の下段側のトレーに対応する側部ガイド穴を、下方のものほど前方へ延長し、下方のトレーほどスライド量が大きくなるように設定すればよい。
【符号の説明】
【００５３】
１，２  トレー
３  背枠
４  広告パネル
５，６  側部ピン
７  後部ピン
８  吊紐
１１，２１  前壁
１２，２２  側壁
１３，２３  後壁
１４，２４  継代片
１５，２５  底壁
１６，２６  ピン穴
１７  連結片
１８  ピン穴
３１  後枠板
３２  側枠板
３３，３４  側部ガイド穴
３４ａ，３４ｂ  ロック部
３５  後部ガイド穴
３６  紐穴
４１  立面板
４２  紐穴
４３  係止切込
【図１】
2010284355.tif 000003
【図２】
2010284355.tif 000004
【図３】
2010284355.tif 000005
【図４】
2010284355.tif 000006
【図５】
2010284355.tif 000007
【図６】
2010284355.tif 000008
【図７】
2010284355.tif 000009
【図８】
2010284355.tif 000010
【図９】
2010284355.tif 000011